(57)【特許請求の範囲】
【請求項１】
固定枠と、前記固定枠にヒンジ部材を介して開閉自在に取付けられた可動枠と、遊技盤の下端側を保持した状態で回動して、前記遊技盤を遊技機の遊技盤収納空間に装着するトレイを有した遊技盤装着装置とを備え、
前記可動枠は、可動枠本体の裏側に取付けられたリアプレートと、前記可動枠本体の表側に取付けられた球発射レールとを有し、
前記トレイは、前記遊技盤収納空間の横幅全長に渡って連続し、前記遊技盤の下端側の裏面に当接する遊技盤裏面当接部を備えるものであって、前記リアプレートの両側壁の下側に回動自在に取付けられ、かつ、前記球発射レールから前記遊技盤のガイドレールへの球流路を確保するための切欠部を備えたことを特徴とする遊技機。
【発明の詳細な説明】
【０００１】
【発明の属する技術分野】
本発明は、パチンコ機等の遊技機、特に、遊技盤装着装置を備えたものに関する。
【０００２】
【従来の技術】
従来のパチンコ機等の遊技機を図５に示す。遊技機は、固定枠１に、遊技機部品を搭載した可動枠２が上，下ヒンジ部材３，３を介して開閉自在に取付けられており、上記可動枠２は、可動枠本体の裏側に取付けられたリアプレート４を有し、このリアプレート４には球払出し機構５や各種制御装置などが取付けられている。また、可動枠本体の表側（遊技者側）には、ガラス扉７、上皿装置８、下皿装置９、球発射レール１０などが取付けられている。
そして、上記リアプレート４とガラス扉７との間の遊技盤収納空間に遊技盤６が装着される。
【０００３】
遊技盤６を装着するための遊技盤装着装置を備えた遊技機として、特開昭６３−１９１７５号公報に開示された遊技機がある。この遊技機は、図６に示すように、遊技盤６の一方の側縁（左側縁）６ａ（図５参照）を保持して遊技盤収納空間方向に回動する遊技盤装着装置としての回動保持具１１を備えたものである。
回動保持具１１は、上下にコ字状受部材１２，１２を有するとともにストッパ１３，１３を有する縦長のベース１４の上下側が支軸１５，１５を介してリヤプレート４の一側４ａの上下側に回動自在に取付けられて成る。コ字状受部材１２は、遊技盤裏面当接部１６と、スプリング１７により遊技盤前面を押圧する押圧部材１８とを備える。
これによれば、遊技盤６の一方の側縁６ａを、上下のコ字状受部材１２，１２における遊技盤裏面当接部１６と押圧部材１８との間に挟み込んで、その後、回動保持具１１を遊技盤収納空間方向に回動させ、遊技盤６の他方の側縁（右側縁）６ｂ（図５参照）を図示しないロック装置で固定することにより、遊技盤６を遊技盤収納空間に装着することができる。
【０００４】
【発明が解決しようとする課題】
上述した特開昭６３−１９１７５号公報に開示された従来の遊技機によれば、遊技盤６の一方の側縁６ａがストッパ１３，１３に完全に突き当たるように当該遊技盤６を横方向に押し込まなければならないが、均等に押し込むことができずに、遊技盤６の一方の側縁６ａのうちの上方側や下方側の挟み込みが不完全になって、水平線に対して遊技盤が傾いた状態に挟み込まれることがあり、このような場合は、挟み込み作業をやり直さなくてはならなず、遊技盤の装着作業が煩雑となり、作業性が悪いという課題があった。
また、従来の遊技機では、押圧機構（スプリング１７及び押圧部材１８）で遊技盤６の右側縁６ａを強力に挟み込めないと、遊技盤６をずっと手で支えていなくてはならないので、遊技盤装着装置（回動保持具１１）としては意味のないものとなってしまう。このため、従来の遊技機では、遊技盤６の一方の側縁（右側縁）６ａを強力に挟み込む為の押圧機構（スプリング１７及び押圧部材１８）が必要になるので、遊技盤装着装置の構成が複雑となり、コストがかかるという課題もあった。
【０００５】
本発明は、遊技盤の装着作業性を向上でき、また、遊技盤装着装置の低コスト化を図れるようにする。
【０００６】
【課題を解決するための手段】
本発明に係る遊技機は、固定枠と、前記固定枠にヒンジ部材を介して開閉自在に取付けられた可動枠と、遊技盤の下端側を保持した状態で回動して、前記遊技盤を遊技機の遊技盤収納空間に装着するトレイを有した遊技盤装着装置とを備え、前記可動枠は、可動枠本体の裏側に取付けられたリアプレートと、前記可動枠本体の表側に取付けられた球発射レールとを有し、前記トレイは、前記遊技盤収納空間の横幅全長に渡って連続し、前記遊技盤の下端側の裏面に当接する遊技盤裏面当接部を備えるものであって、前記リアプレートの両側壁の下側に回動自在に取付けられ、かつ、前記球発射レールから前記遊技盤のガイドレールへの球流路を確保するための切欠部を備えたものである。
【０００７】
【発明の実施の形態】
以下、本発明の実施の形態を図に基づいて説明する。尚、図５，６の従来例と同一又は相当部分は同一符号を付して説明を省略する。
図１に示すように、本発明の実施の形態による遊技機は、遊技盤６の下端６ｅ側を保持した状態で回動して、遊技盤６を遊技盤収納空間に装着する遊技盤装着装置２０を備えるものである。
【０００８】
上記遊技盤装着装置２０は、反物を入れる細長い箱の下箱のような形状のトレイ２１を備え、このトレイ２１の開口２２が上を向くように、長手側の両端部２３，２３が、遊技盤収納空間の下方に相当するリヤプレート４の両側壁４ａ，４ｂの下側に回動自在に取付けられている。トレイ２１の両端部２３，２３には、図２，３に示すように、ばね２４を介して伸縮自在となった回動支持軸２５が設けられ、この回動支持軸２５がリヤプレート４の両側壁４ａ，４ｂの下側に形成された孔４ｄ，４ｄに挿着されて、これにより、当該トレイ２１が回動可能な状にリヤプレート４の両側壁４ａ，４ｂに取付けられている。２６はばね２４と回動支持軸２５とを収納する収納部である。
【０００９】
尚、図１における上記トレイ２１のほぼ中央部における前面２１ａ及び底面２１ｂ側は切欠かれて切欠部２７に形成されているが、これは、球発射レール１０から遊技盤６のガイドレール６１への球流路を確保するためである。尚、球流路を確保すればよいので、上記トレイ２１のほぼ中央部における底面２１ｂ側のみを切欠いた切欠部でもよい。
【００１０】
また、図１に示す状態から、図１の矢印Ａに示す方向にほぼ４５°くらいまで回動したらそれ以上トレイ２１が回動しないようにストッパ（図示せず）を設けておいてもよい。
【００１１】
また、リヤプレート４の右側部４ｂ及び上部４ｕには、板ばね等の弾性部材から成る位置決め固定片３０，３１が設けられている。位置決め固定片３０は遊技盤の右側縁６ｂを押圧し、位置決め固定片３１が遊技盤６の上縁６ｕを押圧して、当該遊技盤６を遊技機の遊技盤収納空間の所定の位置に固定する。尚、リヤプレート４の左側部４ａには、ストッパ１３，１３が設けられている。
【００１２】
従って、トレイ２１を、図１に示す状態から、図の矢印Ａに示す方向に回動させ、トレイ２１の開口２２を介して遊技盤６の下端６ｅ側をトレイ２１内に挟み込む（遊技盤６の下端６ｅがトレイ２１の底面２１ｂに当接するまで押し込む）。その後、遊技盤６を遊技盤収納空間方向に押すと、トレイ２１が図１の状態まで回動して、遊技盤６の右側縁６ｂ及び上縁６ｕが位置決め固定片３０，３１に押圧されて、遊技盤６の左側縁６ａがストッパ１３，１３に突き当たることにより、遊技盤６は遊技盤収納空間の所定の位置に装着されることになる。
【００１３】
本実施の形態によれば、トレイ２１の開口２２を介して遊技盤６の下端６ｅ側をトレイ２１内に嵌め込んで、トレイ２１を回動させるだけで、遊技盤６を遊技盤収納空間に装着できるので、従来の遊技機に比べて、遊技盤６の装着作業を容易かつ正確に行なえる。つまり、遊技盤６の装着作業性を向上できる。
【００１４】
また、トレイ２１は、遊技盤収納空間の横幅全長に渡って連続し、遊技盤６の下端６ｅ側の裏面に当接する遊技盤裏面当接部２１ｄを備えるので、この遊技盤裏面当接部２１ｄを目印にして遊技盤６の下端６ｅ側をトレイ２１内に挟み込むことができるので、挟み込み作業が容易になる。
【００１５】
また、トレイ２１は切欠部２７を備えるので、作業時におけるガイドレール６１等の破損等も防止できる。
【００１６】
尚、図４に示すように、トレイ２１を遊技盤収納空間の上方に設けて、遊技盤６の上端６ｕ側をトレイ２１内に挟みこんで、トレイ２１を回動させるようにして遊技盤６を遊技盤収納空間に装着することも考えられるが、この場合、遊技盤６の下端６ｅ側を手で支えながらトレイ２１を回動させなくてはならないので、上記実施の形態に比べて、装着作業が面倒で大変になる。
これに対して、上記実施の形態では、遊技盤６の下端６ｅ側をトレイ２１内に押し込んだ後は、遊技盤６を遊技盤収納空間方向に押すだけなので、楽に作業を行なえる。
【００１７】
また、図６に示した従来のものでは、上述したように、遊技盤６の右側縁６ａを強力に挟み込む為の押圧機構（スプリング１７及び押圧部材１８）が必要になるので、遊技盤装着装置の構成が複雑となり、コストがかかる。
一方、本願では、単なるトレイ２１（収納部材）を回動自在に取付けるだけで良いので、従来の遊技盤装着装置に比べて、コストを安くできるという効果も得られる。
【００１８】
【発明の効果】
本発明の遊技機によれば、遊技盤の下端側を保持した状態で回動して、遊技盤を遊技機の遊技盤収納空間に装着するトレイを有した遊技盤装着装置を備えたので、遊技盤の装着作業性を向上できる。また、単なるトレイ（収納部材）を回動自在に取付けるだけで遊技盤装着装置を構成できるようになり、押圧機構の必要な従来の遊技盤装着装置に比べて、低コスト化が図れる。また、トレイが、球発射レールから遊技盤のガイドレールへの球流路を確保するための切欠部を備えたので、作業時におけるガイドレールの破損も防止できる。
【図面の簡単な説明】
【図１】  本発明の実施の形態による遊技機における遊技盤装着装置を説明するための斜視図である。
【図２】  遊技盤装着装置のトレイの一端側を示す斜視図である。
【図３】  遊技盤装着装置のトレイの一端側の断面図である。
【図４】  実施の形態による遊技盤装着装置との比較例を示す図である。
【図５】  従来の遊技機の斜視図である。
【図６】  従来の遊技機における遊技盤装着装置の説明図である。
【符号の説明】
６  遊技盤、６ｅ  遊技盤の下端、２０  遊技盤装着装置、２１  トレイ。
【図１】
0004570813.tif 000002
【図２】
0004570813.tif 000003
【図３】
0004570813.tif 000004
【図４】
0004570813.tif 000005
【図５】
0004570813.tif 000006
【図６】
0004570813.tif 000007